(57)【要約】【課題】室外ユニットの筺体への外気温度センサの取り付けにともなう筺体の強度低下を抑制する。【解決手段】ユニットケーシング２０の機械室側側板２４が本体部２４ａと本体部２４ａの一辺が折り曲げられてなる端部２４ｂとを持っている。機械室側側板２４の端部２４ｂは、ユニットケーシング２０の外部から吸い込んだ外気の熱交換を行う室外熱交換器１３の背面側の近傍に配置されている。温度センサ保持具４０は、機械室側側板２４の本体部２４ａの開口部に引っ掛けるための爪部４２と、機械室側側板２４の端部２４ｂの先端に引っ掛けるためのフック４３とを有している。【選択図】図１２
2013139933.tif 000002
【特許請求の範囲】
【請求項１】
本体部（２４ａ）と前記本体部の一辺が折り曲げられてなる端部（２４ｂ）とを持つ側板（２４）を有する筺体（２０）と、
前記筺体の内部に設けられ、前記側板の前記端部の近傍に配置され、前記筺体の外部から吸い込んだ外気の熱交換を行う熱交換器（１３）と、
前記熱交換器で熱交換される外気の温度を検出するための外気温度センサ（３０）と、
前記側板の前記本体部に引っ掛けるための第１係止部（４２）と前記側板の前記端部の先端に引っ掛けるための第２係止部（４３）とを有し、前記外気温度センサを保持する温度センサ保持具（４０）と
を備える、冷凍装置の室外ユニット。
【請求項２】
前記側板は、前記本体部に開口部（２４ｃ）が形成され、
前記温度センサ保持具は、樹脂で成形されている板状本体（４１）をさらに有し、前記第１係止部が前記板状本体と一体成型された前記開口部に嵌合する爪部（４２）である、
請求項１に記載の冷凍装置の室外ユニット。
【請求項３】
前記温度センサ保持具は、前記第２係止部が前記板状本体と一体成型された断面Ｌ字型のフック（４３）である、
請求項２に記載の冷凍装置の室外ユニット。
【請求項４】
前記温度センサ保持具は、前記板状本体を２つに折りたたむためのヒンジ部（４１ｃ）及び前記温度センサを保持するための凹部（４４）が前記板状本体に形成され、前記側板の前記開口部への前記爪部の嵌合によって前記板状本体が２つに折りたたまれて前記凹部が蓋をされた状態を維持するように構成されている、
請求項３に記載の冷凍装置の室外ユニット。
【発明の詳細な説明】
【技術分野】
【０００１】
本発明は、冷凍装置の室外ユニットに関する。
【背景技術】
【０００２】
熱交換器を用いる冷凍装置では、例えば特許文献１（特開２０１１−１３７５９８号公報）に記載されているように、熱交換器の近傍に外気の温度を検出するサーミスタが取り付けられるのが一般的である。そして、外気温度を検出するサーミスタを保持するためのサーミスタ収納具（温度センサ保持具）は、外気の温度検出が可能なようにケーシングに取り付けられることが多い。
【発明の概要】
【発明が解決しようとする課題】
【０００３】
しかし、特許文献１のように、ケーシングの一部を切り欠いてケーシングにサーミスタ収納具が取り付けられると、ケーシングの強度が低下する原因ともなる。
【０００４】
本発明の課題は、室外ユニットの筺体への外気温度センサの取り付けにともなう筺体の強度低下を抑制することである。
【課題を解決するための手段】
【０００５】
本発明の第１観点に係る冷凍装置の室外ユニットは、本体部と本体部の一辺が折り曲げられてなる端部とを持つ側板を有する筺体と、筺体の内部に設けられ、側板の端部の近傍に配置され、筺体の外部から吸い込んだ外気の熱交換を行う熱交換器と、熱交換器で熱交換される外気の温度を検出するための外気温度センサと、側板の本体部に引っ掛けるための第１係止部と側板の端部の先端に引っ掛けるための第２係止部とを有し、外気温度センサを保持する温度センサ保持具とを備える。
【０００６】
第１観点に係る冷凍装置の室外ユニットでは、第２係止部が端部の先端に引っ掛けることができるため、端部を途中で切り欠く必要がなくなって本体部の一辺全体にわたって端部を延ばせるので、端部が延びる方向に対して垂直な断面がＬ型の形状を本体部の一辺全体にわたって続けることができる。
【０００７】
本発明の第２観点に係る冷凍装置の室外ユニットは、第１観点に係る冷凍装置の室外ユニットにおいて、側板は、本体部に開口部が形成され、温度センサ保持具は、樹脂で成形されている板状本体をさらに有し、第１係止部が板状本体と一体成型された開口部に嵌合する爪部である。
【０００８】
第２観点に係る冷凍装置の室外ユニットでは、第２係止部を側板の端部に引っ掛けた状態で、爪部を側板に嵌合できるので、温度センサ保持具の取り付け、取り外しが容易になる。
【０００９】
本発明の第３観点に係る冷凍装置の室外ユニットは、第２観点に係る冷凍装置の室外ユニットにおいて、温度センサ保持具は、第２係止部が板状本体と一体成型された断面Ｌ字型のフックである。
【００１０】
第３観点に係る冷凍装置の室外ユニットでは、第２係止部の断面形状がＬ字型であるため、端部に滑り込ませることができ、爪部が側板に嵌合された後は、爪部によって側板に平行な方向の動きが規制されるため、温度センサ保持具が側板の本体部に平行な方向へは抜け落ちることがなくなり、かつ爪部と反対側の板状本体の箇所を作業者などが引っ掛けてもフックが温度センサ保持具を外す方向の力に抗することになって温度センサ保持具が外れるのが防止される。
【００１１】
本発明の第４観点に係る冷凍装置の室外ユニットは、第３観点の冷凍装置の室外ユニットにおいて、温度センサ保持具は、板状本体を２つに折りたたむためのヒンジ部及び温度センサを保持するための凹部が板状本体に形成され、側板の開口部への爪部の嵌合によって板状本体が２つに折りたたまれて凹部が蓋をされた状態を維持するように構成されている。
【００１２】
第４観点に係る冷凍装置の室外ユニットでは、外気温度センサを温度センサ保持具に保持した状態での取り付けが容易になる。
【発明の効果】
【００１３】
第１観点に係る冷凍装置の室外ユニットでは、本体部の一辺において断面Ｌ字型の形状を途中で欠けることなく続けさせることができるので、外気温度センサの取り付けにともなう側板の強度低下を抑制し、ひいては筺体の強度低下を抑制できる。
【００１４】
第２観点に係る冷凍装置の室外ユニットでは、温度センサ保持具の取り付けや取り外しが容易になり、製造やメンテナンスを行いやすくなる。
【００１５】
第３観点に係る冷凍装置の室外ユニットでは、温度センサ保持具の抜け落ちなどが防止されるため、着脱が容易でかつ固定が十分に行える温度センサ保持具を提供できる。
【００１６】
第４観点に係る冷凍装置の室外ユニットでは、外気温度センサを温度センサ保持具に保持した状態での着脱が容易なため、外気温度センサの室外ユニットへの取り付けや取り外しに際しての破損が減少する。
【図面の簡単な説明】
【００１７】
【図１】一実施形態に係る空気調和装置の構成の概要を説明するための回路図。
【図２】室外ユニットの外観を示す背面図。
【図３】天板を外した状態の室外ユニットの模式的な平面図。
【図４】機械室側側板を室外ユニットの背面側から見た状態を示す背面図。
【図５】機械室側側板の図４のＩ-Ｉ線断面図。
【図６】（ａ）外気温度センサの概観を示す斜視図、（ｂ）外気温度センサの構成の概要を示す模式的な断面図。
【図７】温度センサ保持具の構成を示す平面図。
【図８】温度センサ保持具の構成を示す正面図。
【図９】温度センサ保持具の構成を示す側面図。
【図１０】温度センサ保持具の図８におけるＩＩ-ＩＩ線断面図。
【図１１】温度センサ保持具が機械室側側板に取り付けられている状態を示す部分拡大斜視図。
【図１２】天板を除いて室外ユニットを上から見たときの室外ユニットの内部構成を示す部分拡大平面図。
【図１３】従来の機械室側側板を室外ユニットの背面側から見た状態を示す背面図。
【発明を実施するための形態】
【００１８】
（１）空気調和装置の全体構成
本発明の一実施形態に係る冷凍装置として、空気調和装置に用いられている冷凍装置について説明する。図１は、空気調和装置の概要を示す回路図である。空気調和装置１は、室外ユニット２と室内ユニット３とで構成される。この空気調和装置１は、蒸気圧縮式の冷凍サイクル運転を行うことによって建物内の各室の冷暖房に使用される装置である。空気調和装置１は、熱源ユニットとしての室外ユニット２と、利用ユニットとしての室内ユニット３と、室外ユニット２と室内ユニット３とを接続する冷媒連絡管６，７とを備えている。
【００１９】
室外ユニット２と室内ユニット３と冷媒連絡管６，７とを接続して構成される冷凍装置は、圧縮機１１、四路切換弁１２、室外熱交換器１３、膨張弁１４、室内熱交換器４及びアキュムレータ１５などが冷媒配管で接続された構成を有している。この冷凍装置内には冷媒が封入されており、冷媒が圧縮され、冷却され、減圧され、加熱・蒸発された後に、再び圧縮されるという冷凍サイクル運転が行われるようになっている。運転時には、冷媒連絡管６，７に接続されている室外ユニット２の液冷媒側閉鎖弁１７及びガス冷媒側閉鎖弁１８は、開状態にされる。
【００２０】
冷房運転時は、四路切換弁１２が図１の実線で示される状態、すなわち、圧縮機１１の吐出側が室外熱交換器１３のガス側に接続され、かつ、圧縮機１１の吸入側がアキュムレータ１５、ガス冷媒側閉鎖弁１８及び冷媒連絡管７を介して室内熱交換器４のガス側に接続された状態となっている。冷房運転では、空気調和装置１は、室外熱交換器１３を圧縮機１１において圧縮される冷媒の凝縮器として、かつ、室内熱交換器４を室外熱交換器１３において凝縮された冷媒の蒸発器として機能させる。
【００２１】
暖房運転時は、四路切換弁１２が図１の破線で示される状態、すなわち、圧縮機１１の吐出側がガス冷媒側閉鎖弁１８及び冷媒連絡管７を介して室内熱交換器４のガス側に接続され、かつ、圧縮機１１の吸入側が室外熱交換器１３のガス側に接続された状態となっている。暖房運転では、空気調和装置１は、室内熱交換器４を圧縮機１１において圧縮される冷媒の凝縮器として、かつ、室外熱交換器１３を室内熱交換器４において凝縮された冷媒の蒸発器として機能させる。
【００２２】
運転時には、室外ユニット２は、冷媒と熱交換される室外空気の温度（室外温度）に基づいて機器の設定を変更する制御を行う。そのため、室外ユニット２は、室外熱交換器１３に供給される外気の温度を検出する外気温度センサ３０を備えている。
【００２３】
（２）室外ユニット
ビル等の室外に設置される室外ユニット２は、図２及び図３に示されているように、略直方体状のユニットケーシング２０を備えている。図３に示されているように、室外ユニット２は、ユニットケーシング２０の内部空間を鉛直方向に延びる仕切板２８で二つに分割することによって送風機室Ｓ１と機械室Ｓ２とを形成した構造（いわゆる、トランク型構造）を有するものである。送風機室Ｓ１には室外熱交換器１３や室外ファン１６が配置され、機械室Ｓ２には圧縮機１１やアキュムレータ１５などが配置される。
【００２４】
ユニットケーシング２０は、鋼板製の板状部材である天板２１と、底板２２と、送風機室側側板２３と、機械室側側板２４と、送風機室側前板２５と、機械室側前板２６とを備えて構成されている。機械室側側板２４は、ユニットケーシング２０の機械室Ｓ２寄りの側面部分の一部と、ユニットケーシング２０の機械室Ｓ２寄りの背面部分とを構成する。機械室側側板２４には、本体部２４ａと端部２４ｂとが含まれる。
【００２５】
室外ユニット２は、ユニットケーシング２０の背面及び側面の一部からユニットケーシング２０内の送風機室Ｓ１に室外空気を吸い込んで、吸い込んだ室外空気をユニットケーシング２０の前面から吹き出すように構成されている。そのため、ユニットケーシング２０内の送風機室Ｓ１に吸い込まれる室外空気の吸入口２０ａが、送風機室側側板２３の背面側の端部と機械室側側板２４の送風機室Ｓ１側の端部との間に形成され、室外空気の吸入口２０ｂが送風機室側側板２３に形成されている。また、送風機室Ｓ１に吸い込まれた室外空気を外部に吹き出すための吹出口２０ｃが、送風機室側前板２５に設けられている。吹出口２０ｃの前側は、ファングリル２５ａによって覆われている。
【００２６】
図１に示した外気温度センサ３０を保持する温度センサ保持具４０は、図２に示されているように機械室側側板２４に取り付けられる。図４は機械室側側板の正面図であり、図５は図４のＩ-Ｉ線における機械室側側板の断面図である。機械室側側板２４は、本体部２４ａと、温度センサ保持具４０が取り付けられる端部２４ｂとを有する。機械室側側板２４の端部２４ｂは、本体部２４ａの一辺が折り曲げられて形成されたものである。そして、端部２４ｂは、機械室側側板２４の上から下まで欠けることなく延びている。上述の特許文献１に記載されていたような従来のサーミスタ収納具を端部に取り付ける場合には、端部を切り欠く必要があったため、端部２４ｂのように機械室側側板２４の上から下まで欠けることなく延ばすことができなかった。端部２４ｂの近傍には、端部２４ｂに沿って凹部２４ｄが形成されており、機械室側側板２４は、凹部２４ｄによって変形を防止するための補強がなされている。
【００２７】
温度センサ保持具４０には、後述するように爪部が設けられており、機械室側側板２４にはこの爪部が嵌合される開口部２４ｃが形成されている。開口部２４ｃは、上下に２本設けられ、それぞれ水平に長い長方形の形状を呈している。この開口部２４ｃは、例えば、一枚の鋼板から機械室側側板２４の形状を形成するプレス加工の際に同時にプレス加工によって開口される。
【００２８】
（２−１）外気温度センサの構成
図６には外気温度センサ３０が示されており、図６（ａ）は外気温度センサの外観を示す斜視図であり、図６（ｂ）は外気温度センサの構成の概要を示す模式的な断面図である。外気温度センサ３０は、主に、サーミスタなどの感温素子３１と、リード線３２と、ハーネスなどの電線３３と、金属ケース３４と、モールド樹脂３５とで構成されている。感温素子３１にはリード線３２が接続されており、温度によって変換する信号がリード線３２に伝達される。リード線３２が電線３３に接続されており、電線３３を通じて温度に応じた信号が室外ユニット２の制御部（図示省略）に伝送される。感温素子３１やリード線３２や電線３３は、エポキシなどのモールド樹脂５５によって円筒状の金属ケース３４に封入されている。金属ケース３４は、例えば銅などを円筒状に加工して形成される。
【００２９】
（２−２）温度センサ保持具の構成
図７は温度センサ保持具の平面図、図８は温度センサ保持具の正面図、図９は温度センサ保持具の側面図、及び図１０は図８におけるＩＩ-ＩＩ線断面図である。図７乃至図１０に示されている温度センサ保持具４０は、ポリプロピレンなどの樹脂で形成されており、板状本体４１と爪部４２とフック４３と凹部４４とを備えている。
【００３０】
板状本体４１は、平面視において略長方形の形状をしており、それぞれ略長方形の形状をした第１板状部４１ａ及び第２板状部４１ｂと、第１板状部４１ａ及び第２板状部４１ｂの間に形成されているヒンジ部４１ｃを有している。温度センサ保持具４０をユニットケーシング２０に取り付けると、図７に示されている第１板状部４１ａの面と反対側に機械室側側板２４が位置する。
【００３１】
板状本体４１の第１板状部４１ａには、板状本体４１と一体成型された爪部４２と凹部４４とが設けられている。爪部４２は、機械室側側板２４の方に向かって第１板状部４１ａから垂直に延びている。図９に示されているように、側面視において、爪部４２の先端は細くなっており、第１板状部４１ａに近づくに従って膨れ、さらに第１板状部４１ａに近づくにつれて萎む。爪部４２を機械室側側板２４の開口部２４ｃに嵌め込むとき、この爪部４２の最も膨らんだ部分は、上側の開口部２４ｃの上辺よりもわずかに外側に位置し、また下側の開口部２４ｃの下辺よりもわずかに下側に位置する。そのため、爪部４２を機械室側側板２４の開口部２４ｃに嵌め込む途中で、２つの爪部４２が互いに近づくように撓って、嵌め込まれると爪部４２は元に戻る。この爪部４２の弾性によって開口部２４ｃに爪部４２が強固に嵌合する。
【００３２】
第１板状部４１ａの凹部４４は、機械室側側板２４の側から見ると、Ｌ字型に曲がっている。凹部４４のうち第１板状部４１ａの長手方向に延びる部分には、図１０に示されているように、外気温度センサ３０の円筒状の金属ケース３４が嵌め込まれる。金属ケース３４を保持するために凹部４４の内部に爪４４ａが設けられている。また、凹部４４のうち第１板状部４１ａの短手方向に延びる部分を外気温度センサ３０の電線３３が通る。外気温度センサ３０が凹部４４に設置されると、第２板状部４１ｂがヒンジ部４１ｃで折り曲げられて凹部４４を覆う。このとき、第２板状部４１ｂは、爪４５によって引っ掛けられ、折りたたまれた状態を保つ。凹部４４には、外気温度センサ３０に外気が当たるように開口４４ｃが設けられている。
【００３３】
板状本体４１の第２板状部４１ｂには、板状本体４１と一体成型された断面Ｌ字型のフック４３が設けられている。フック４３がＬ字型を呈する断面に対して平行に爪部４２が長く延びているため、温度センサ保持具４０を機械室側側板２４に安定に止めることができる。フック４３はヒンジ部４１ｃで折りたたまれていない状態では、機械室側側板２４の側とは反対の側に位置している。このように折りたたまれていない状態で爪部４２とフック４３とを別の面に形成することで、金型での一体成型が行いやすくなり、成型のコストを削減できる。
【００３４】
（２−３）温度センサ保持具の取り付け
図１１は、温度センサ保持具が機械室側側板に取り付けられている状態を示す部分拡大斜視図である。図１２は、天板を除いて室外ユニットを上から見たときの室外ユニットの内部構成を示す部分拡大平面図である。温度センサ保持具４０を取り付けるときには、まず、フック４３を機械室側側板２４の端部２４ｂに引っ掛ける。フック４３を引っ掛けた状態で、爪部４２を機械室側側板２４の開口部２４ｃに押し込む。そうすると、図１１及び図１２に示されているように、フック４３を端部２４ｂに引っ掛けた状態で温度センサ保持具４０を機械室側側板２４に取り付けることができる。図１１及び図１２を見ると分かるように、室外熱交換器１３に送り込まれる室外空気の温度を検出するため、温度センサ保持具４０が機械室側側板２４からはみ出して取り付けられている。そのため、温度センサ保持具４０のはみ出した部分に作業者などが引っかかり易く、フック４３がないと、温度センサ保持具４０が機械室側側板２４から簡単に外れてしまう。
【００３５】
（３）室外ユニットの特徴
（３−１）
上述の室外ユニット２は、ユニットケーシング２０（筺体）の機械室側側板２４が本体部２４ａと本体部２４ａの一辺が折り曲げられてなる端部２４ｂとを持っている。機械室側側板２４の端部２４ｂは、ユニットケーシング２０の外部から吸い込んだ外気の熱交換を行う室外熱交換器１３の背面側の近傍に配置されている。温度センサ保持具４０は、図７乃至図１０に示されているように、機械室側側板２４の本体部２４ａの開口部２４ｃに引っ掛けるための爪部４２（第１係止部）と、機械室側側板２４の端部２４ｂの先端に引っ掛けるためのフック４３（第２係止部）とを有している。
【００３６】
従来は、特許文献１に記載されているような製品や市場で販売されている製品では、図１４に記載されているように従来の温度センサ保持具を取り付けるためには、切り欠き１００を機械室側側板１２４の端部１２４ｂから本体部１２４ａにかけて設ける必要があった。そのため、従来の室外ユニットでは、輸送の際に、従来の室外ユニットを多段に積み上げると、矢印で示されているように上下方向に荷重が掛かり、この切り欠き１００を起点に機械室側側板１２４が折れ曲がるなどの不具合が発生する場合があった。
【００３７】
それに対し、上述の温度センサ保持具４０は、断面Ｌ字型形状のフック４３を機械室側側板２４の端部２４ｂに引っ掛けることができるため、従来のように端部２４ｂを途中で切り欠く必要がなくなって、本体部２４ａの一辺全体にわたって端部２４ｂを延ばせるので、端部２４ｂが延びる方向に対して垂直な断面がＬ型の形状（図５参照）を本体部２４ａの一辺全体にわたって続けることができる。それにより、外気温度センサ３０の取り付けにともなう機械室側側板２４の強度低下を抑制し、ひいてはユニットケーシング２０の強度低下を抑制できる。
【００３８】
（３−２）
温度センサ保持具４０は、爪部４２が、樹脂で成形されている板状本体４１と一体成型されている。また、フック４３が、樹脂で成形されている板状本体４１と一体成型されている。これらが一体成型できることから、爪部４２やフック４３の製造が容易であり、温度センサ保持具４０をコンパクトに構成することができる。
【００３９】
温度センサ保持具４０は、フック４３を端部２４ｂに引っ掛けた状態で、爪部４２を機械室側側板２４の開口部２４ｃに嵌合できるので、温度センサ保持具４０の取り付け、取り外しが容易になり、製造やメンテナンスを行いやすくなる。
【００４０】
フック４３の断面形状がＬ字型であるため、端部２４ｂに滑り込ませることができ、取り付けが簡単である。そして、爪部４２が機械室側側板２４の開口部２４ｃに嵌合された後は、爪部４２が開口部２４ｃに嵌っていることから温度センサ保持具４０の側板に平行な方向の動きが規制されるため、温度センサ保持具４０が機械室側側板２４の本体部２４ａに対して平行な方向へは抜け落ちることがなくなる。さらに、爪部４２と反対側の板状本体４１の箇所を作業者などが引っ掛かけて温度センサ保持具４０が外れるのは、フック４３が端部２４ｂに引っ掛かることにより防止される。このように、温度センサ保持具４０の抜け落ちなどが防止されるため、着脱が容易でかつ固定が十分に行える温度センサ保持具４０を提供できる。
【００４１】
（３−３）
上述の温度センサ保持具４０は、板状本体４１（第１板状部４１ａと第２板状部４１ｂ）を２つに折りたたむためのヒンジ部４１ｃ及び外気温度センサ３０を保持するための凹部４４が板状本体４１に形成されている。第２板状部４１ｂが爪部４２の突出する側に折り曲げられて凹部４４がふたをされるので、機械室側側板２４の開口部２４ｃへの爪部４２の嵌合によって板状本体４１が２つに折りたたまれて凹部４４が蓋をされた状態を維持することができる。上述の温度センサ保持具４０では、このような状態を維持させることの補助のために、爪４５が第２板状部４１ｂに引っ掛かる構成を有している。
【００４２】
そのため、外気温度センサ３０を温度センサ保持具４０に保持した状態での取り付けが容易になる。その結果、外気温度センサ３０の室外ユニット２への取り付けや取り外しに際しての破損が減少する。
【符号の説明】
【００４３】
１      空気調和装置
２      室外ユニット
３      室内ユニット
２０    ユニットケーシング
３０    外気温度センサ
４０    温度センサ保持具
４１    板状本体
４１ａ  第１板状部
４１ｂ  第２板状部
４１ｃ  ヒンジ部
４２    爪部
４３    フック
４４    凹部
【先行技術文献】
【特許文献】
【００４４】
【特許文献１】特開２０１１−１３７５９８号公報
【図１】
2013139933.tif 000003
【図２】
2013139933.tif 000004
【図３】
2013139933.tif 000005
【図４】
2013139933.tif 000006
【図５】
2013139933.tif 000007
【図６】
2013139933.tif 000008
【図７】
2013139933.tif 000009
【図８】
2013139933.tif 000010
【図９】
2013139933.tif 000011
【図１０】
2013139933.tif 000012
【図１１】
2013139933.tif 000013
【図１２】
2013139933.tif 000014
【図１３】
2013139933.tif 000015